(57)【要約】 【課題】基礎ブロック自体を擁壁の施工現場でもって、簡単に施工でき、且つ、基礎ブロックを施工する際に、基礎ブロックの高さ調節が自由にでき、後から法面に施工する擁壁と適合する高さの基礎ブロックが施工できると共に型枠を取り外す必要がない。【解決手段】基礎コンクリート（１）上に、多数の貫通穴（2a）を穿設したコンクリート製パネルの表壁（21）と裏壁（22）とを離間し対向配置させると共に、裏壁（22）の少なくとも上部を法面（Ａ）と略直角に傾斜させ、この状態の表壁（21）及び裏壁（22）を、その間に複数枚挿入したコンクリート製の支持板（３）にネジ部材（４）で固着させ、更に、表壁（21）と裏壁（22）の各上部外側に、多数の貫通穴（5a）を穿設した高さ調節板（５）を設け枠組し、次いで、この枠組した内部に、前記高さ調節板（５）の高さまで中込め材（６）を充填した後、前記高さ調節板（５）を取り外す。【選択図】図１
2011032804.tif 000002
【特許請求の範囲】
【請求項１】
基礎コンクリート（１）上に、多数の貫通穴（2a）を穿設したコンクリート製パネルの表壁（21）と裏壁（22）とを離間し対向配置させると共に、前記裏壁（22）の少なくとも上部を法面（Ａ）と略直角に傾斜させ、この状態の表壁（21）及び裏壁（22）を、その間に複数枚挿入したコンクリート製の支持板（３）にネジ部材（４）で固着させ、更に、前記表壁（21）と前記裏壁（22）の各上部外側に、多数の貫通穴（5a）を穿設した高さ調節板（５）を設け枠組し、次いで、この枠組した内部に、前記高さ調節板（５）の高さまで中込め材（６）を充填した後、前記高さ調節板（５）を取り外すことを特徴とする擁壁用基礎ブロックの施工方法。
【請求項２】
予め、両側端面（3a）,（3b）にタッピンネジ用のネジ穴（32a）を複数形成した前記支持板（３）を使用すると共に、前記ネジ部材（４）にタッピンネジを使用し、且つ、充填した前記中込め材（６）が固化しない間に、少なくとも傾斜した裏壁（22）の貫通穴（2a）から、鉄筋棒（７）の一部を前記中込め材（６）内に挿入した請求項1記載の擁壁用基礎ブロックの施工方法。
【発明の詳細な説明】
【技術分野】
【０００１】
本発明は、擁壁用基礎ブロックの施工方法に関し、特には、河川や道路の擁壁を構築する際に、その基礎となる基礎ブロック自体の施工が簡単で、且つ、その基礎ブロックを所望の高さにできる擁壁用基礎ブロックの施工方法に関する。
【背景技術】
【０００２】
従来、河川の岸や道路の傾斜面に擁壁ブロックを順次積み上げて擁壁を構築する際に、最下段には基礎ブロックを構築し、その基礎ブロックを基に斜面に擁壁ブロックを積み上げて擁壁の施工を行っている。この基礎ブロックの構築は、通常、型枠で基礎ブロックの形状に枠組し、これにコンクリートを打設して構築するか、あるいは実開平６−７９８４４号、特開２０００−３１９９１０号のように、予め工場で製作した擁壁用の基礎ブロックを用意し、それを擁壁の最下段に設置する施工方法であった。
【０００３】
また、特開２００９−６２６８０号のように、基礎ブロック自体を擁壁の施工現場でもって、コンクリート製のパネルを使用し、型枠の取り外しを不要とする擁壁用基礎ブロックの施工方法が提案されている。
【先行技術文献】
【特許文献】
【０００４】
【特許文献１】実開平６−７９８４４号公報
【特許文献２】特開２０００−３１９９１０号公報
【特許文献３】特開２００９−６２６８０号公報
【発明の概要】
【発明が解決しようとする課題】
【０００５】
上記従来の基礎用ブロックにおいては、基礎用ブロック自体を現場で打設コンクリートから施工する場合に、木製又は金属製の型枠によって枠組しなければならず、更に、その型枠の取り外しも必要となり、施工に手間を要すると共に廃材が大量に出て環境的にも悪いという問題点を有していた。
【０００６】
他方、上記特許文献１、特許文献２の基礎ブロックを使用した施工では、ブロック自体のコストが高く、又、重量が大きく、嵩張り、これを現場に搬入したり、あるいは設置するにも必ずクレーンを必要とし、いずれにしても手間を要する等の問題点を有していた。
【０００７】
また、特許文献３の施工方法においては、型枠に定尺のコンクリートパネルを使用するため、基礎ブロックの高さは自由に施工できず、法面に施工する擁壁と合うように、基礎ブロックを所定の高さにするには、枠組の際に、定尺のパネルの外に、その都度切断したパネルを使用して段積しなければならず、パネルの切断に手間を要する問題点を有していた。
【０００８】
本発明は、基礎ブロック自体を擁壁の施工現場でもって、廃材の出ないコンクリート製の残存する型枠を使用して簡単に施工でき、且つ、基礎ブロックを施工する際に、基礎ブロックの高さ調節が自由にでき、後から施工する法面の擁壁と適合する高さの基礎ブロックが簡単に施工できる擁壁用基礎ブロックの施工方法を提供することを目的とする。
【課題を解決するための手段】
【０００９】
本発明は、基礎コンクリート（１）上に、多数の貫通穴（2a）を穿設したコンクリート製パネルの表壁（21）と裏壁（22）とを離間し対向配置させると共に、前記裏壁（22）の少なくとも上部を法面（Ａ）と略直角に傾斜させ、この状態の表壁（21）及び裏壁（22）を、その間に複数枚挿入したコンクリート製の支持板（３）にネジ部材（４）で固着させ、更に、前記表壁（21）と前記裏壁（22）の各上部外側に、多数の貫通穴（5a）を穿設した高さ調節板（５）を設け枠組し、次いで、この枠組した内部に、前記高さ調節板（５）の高さまで中込め材（６）を充填した後、前記高さ調節板（５）を取り外すことを特徴とする。
【００１０】
また、予め、両側端面（3a）,（3b）にタッピンネジ用のネジ穴（32a）を複数形成した前記支持板（３）を使用すると共に、前記ネジ部材（４）にタッピンネジを使用し、且つ、充填した前記中込め材（６）が固化しない間に、少なくとも傾斜した裏壁（22）の貫通穴（2a）から、鉄筋棒（７）の一部を前記中込め材（６）内に挿入するのが好ましい。
【発明の効果】
【００１１】
本発明は、コンクリート製のパネルを使用し、それを表壁（21）と裏壁（22）として配し、その両者を支持板（３）で支持させて基礎ブロックの枠組を行うため、施工現場に前記パネルや前記支持板（３）の搬入するにも、出来上った基礎ブロックを搬入するのに比べ、嵩張らず一度に大量に搬入でき、且つ、枠組も簡単で作業性がよく、枠組した表壁（21）と裏壁（22）は取り外す必要がないので廃材が出ず環境にもよい。
【００１２】
また、本発明では、枠組で高さ調節板（５）を設けたことにより、施工する際に、基礎ブロックの高さを自由に調節できる利点を有する。つまり、表壁（21），裏壁（22）に使用するパネルは、定尺のものであり、そのパネルをそのまま使用して段積すると、その高さが定尺寸法毎の階段状の高さに段積され、所望の高さが得られない。従って、所望の高さになるように切断したパネルを加えて段積し高さを調節していたが、本発明では、高さ調節板（５）により、パネルをその都度切断することなく、所望の高さの基礎ブロックを自由に施工することができる。従って、後から法面に施工する擁壁（Ｂ）と基礎ブロックとの結合箇所に段差が生じることもなく、見栄えのよい基礎ブロック及び擁壁の施工ができる。
【００１３】
また、高さ調節板（５）に多数の貫通穴（5a）を穿設したことにより、この貫通穴（5a）とパネルの貫通穴（2a）とを利用して高さ調節板（５）を表壁（21），裏壁（22）の上部に取り付けることができる。しかも、高さ調節板（５）の貫通穴（5a）は、上下方向に一定間隔で多数穿設させてあるから、高さ調節板（５）の高さ調節が貫通穴（5a）の間隔毎に細かく調節できると共に、裏壁（22）に設けた高さ調節板（５）では、その貫通穴（5a）に鉄筋棒を挿通して生コンクリートを打設することにより、高さ調節板（５）を外した後の傾斜面から鉄筋棒を突出させた状態となり、この突出した鉄筋棒が、後から施工する法面の擁壁（Ｂ）との結合性を高め、よって、基礎ブロックと擁壁とが一体化し強固なものとなる。
【図面の簡単な説明】
【００１４】
【図１】本発明の施工方法を示す説明図である。
【図２】本発明の表壁と裏壁を支持板に固着させた状態を示す斜視図である。
【図３】本発明の支持板を示す正面図である。
【図４】本発明の高さ調節板を示す斜視図である。
【図５】本発明の表壁と裏壁及び高さ調節板を支持板に固着させた状態を示す説明図である。
【図６】本発明の支持板に設けたタッピンネジ穴を示す部分断面図である。
【図７】本発明の裏壁の貫通穴から鉄筋棒を中込め材内に挿入した状態の説明図である。
【図８】本発明の基礎ブロックから突出する鉄筋棒と擁壁との結合を示す説明図である。
【発明を実施するための形態】
【００１５】
以下、本発明の実施形態につき図を基に説明する。図１において、先ず、図１（ａ）に示すように、河川や道路等の斜面の下方に隣接する平地に沿って堀った溝には、予め基礎コンクリート（１）が構築されている。この基礎コンクリート（１）上に、多数の貫通穴（2a）を穿設したコンクリート製のパネルを使用した表壁（21）と裏壁（22）とを離間し対向配置させると共に、前記裏壁（22）の少なくとも上部を法面（Ａ）と略直角に傾斜させる。この状態の表壁（21）及び裏壁（22）を、その間に複数枚挿入したコンクリート製の支持板（３）にネジ部材（４）で固着させる。この際に、パネルは幅広のものと、狭い幅のものとの２種類のパネルでもって、残存型枠として枠組される。従って、この２種類のパネルを用意すれば、枠組の際にパネルを切断することもなく枠組できる。
【００１６】
これら、表壁（21），裏壁（22）用のコンクリート製のパネル及び支持板（３）は、予め工場で製作されたプレキャストコンクリート板であり、この四角形のパネルには、多数の貫通穴（2a）を穿設させている。この貫通穴（2a）の形状としては、ストレートのもの、略ラッパ状のもの等である。
【００１７】
また、図３に示すように、支持板（３）には、その表壁（21）側の側端面（3a）と裏壁（22）側の側端面（3b）に複数のネジ穴（31a）を設けており、このネジ穴（31a）はインサートナット（31）を端面と面一に埋設したものであるが、ネジ穴（31a）の形成においては、このインサートナット（31）に限定されない。このネジ穴（31a）を利用して、表壁（21）と裏壁（22）とが、支持板（３）にネジ部材（４）で固定されるのである。更に、支持板（３）の下部には、深い切り欠き溝（3c）を形成しており、この切り欠き溝（3c）は地中に打ち込んだ矢板が突出している場合に、その矢板を逃げるためのものであるが、必ずしもこの切り欠き溝（3c）を形成するとは限らない。
【００１８】
図２では、表壁（21），裏壁（22）及び支持板（３）との枠組状態を斜視図で示している。この枠組した状態においては、表壁（21），裏壁（22）に多数の貫通穴（2a）が存在し、この貫通穴（2a）が後述する中込め材（６）を充填した際に、貫通穴（2a）まで充填されたか否かによって、中込め材（６）の充填状態が判別できる。つまり、中込め材（６）の生コンクリートが貫通穴（2a）からトロ状に出ている場合は充填状態がよく、トロが貫通穴（2a）から出ていなければ充填状態が不充分と判別できるのである。
【００１９】
そして、支持板（３）に表壁（21）と裏壁（22）の取り付けを完了した後に、図１（ｂ）に示すように、表壁（21）及び裏壁（22）の上部外側に、金属製で多数の貫通穴（5a）を穿設した高さ調節板（５）を取り付けて枠組が完了する。この際に、高さ調節板（５）は、表壁（21），裏壁（22）の上部先端より突出した状態で取り付けられ、その突出する高さは、後から法面（Ａ）に施工する擁壁の厚さに合せて設定される。
【００２０】
高さ調節板（５）は、図４に示すように、四角状の金属板を、その外周が直角に折曲され、内部の板面には多数の貫通穴（5a）を穿設したものである。この貫通穴（5a）の配列はコンクリート製パネルの貫通穴（2a）と同様にするのが好ましい。
【００２１】
また、高さ調節板（５）を取り付けるには、図５に示すように、表壁（21）と傾斜した裏壁（22）の上部表面から、その表壁（21）と裏壁（22）の先端より突出して取付けられる。この際に、高さ調節板（５）の下部は、そこに穿設した貫通穴（5a）を表壁（21）及び裏壁（22）の貫通穴（2a）に合せ、両貫通穴（5a）,(2a）にボルト等のネジ部材（４）を挿通して支持板（３）のネジ穴（31a）に螺合させればよい。また、支持板（３）のネジ穴（31a）を利用しない場合には、表壁（21）と裏壁（22）の貫通穴（2a）を利用してもよく、この場合には、両貫通穴（5a）,(2a）に挿通したボルトとナットで取り付けられる。尚、高さ調節板（５）の取り付けに当り、支持板（３）のネジ穴（31a）を利用する場合、表壁（21）と裏壁（22）の上部は支持板（３）に固定せず、その箇所のネジ穴（31a）又は後述するタッピンネジ用のネジ穴（32a）を空けておき、高さ調節板（５）の下部を表壁（21）又は裏壁（22）と重ねた状態で空いたネジ穴（31a）,（32a）を利用して取り付けられる。
【００２２】
この枠組が完了した後に、図１（ｃ）に示すように、この枠組した内部に、高さ調節板（５）の高さまで中込め材（６）を充填する。この中込め材（６）の充填においては、傾斜した裏壁（22）下部の高さぐらいまでは、石，コンクリート殻等の単体又はそれらの混合物が充填されるが、特には、ポーラスコンクリートを加えた前記混合物が、強度及び不用になった石，コンクリート殻等の再利用となり、且つ、透水性及び保水性の面で好ましい。そして、傾斜した裏壁（22）下部の高さぐらいまで前記ポーラスコンクリートを加えた混合物の中込め材（６）を充填した後、その上に生コンクリートを高さ調節板（５）の高さまで充填するのが好ましい。この生コンクリートを充填することにより、後に法面（Ａ）に施工する擁壁の側圧に充分対応でき、基礎ブロックの強度が保たれる。尚、基礎ブロックが強度を要求される場合には、中込め材（６）が全部生コンクリートを使用して打設してもよい。
【００２３】
枠組内に中込め材（６）を充填し、上部の生コンクリートが固化後に、図１（ｄ）に示すように、高さ調節板（５）を取り外せば基礎ブロックが完成する。この際に、表壁（21）,裏壁（22）は残存し基礎ブロックの壁面となる。そして、両壁（21）,（22）の外側は、土又は生コンクリートを充填して埋め戻すとよい。
【００２４】
また、本発明では、図６に示すように、予め、支持板（３）の両側端面（3a）,（3b）にタッピンネジ用のネジ穴（32a）を複数形成している。このネジ穴（32a）は、両側端面（3a）,（3b）と面一に埋設した補強板（32）を連通して支持板（３）内に形成している。このネジ穴（32a）の形成は、支持板（３）を作る際に補強板（32）とタッピンネジとを金型に設置しておき、コンクリートが固化後にタッピンネジを外すことにより形成される。このタッピンネジ用のネジ穴（32a）を使用することにより、ネジの作業性が極めて早く、枠組の省力化を成す。
【００２５】
また、本発明では、図７に示すように、枠組が完了し中込め材（６）を充填した後、その生コンクリートの中込め材（６）が固化しない間に、傾斜した裏壁（22）の貫通穴（2a）から鉄筋棒（７）の先端側を中込め材（６）内に挿入し、裏壁（22）から鉄筋棒（７）を突出した状態にする。そして、図８に示すように、中込め材（６）が固化し、高さ調節板（５）を取り外して基礎ブロックが完成した状態では、傾斜した裏壁（22）から鉄筋棒（７）が突出した状態となる。この鉄筋棒（７）により、後から法面（Ａ）上に施工する擁壁（Ｂ）が基礎ブロックと強固に連結する役目を成す。尚、鉄筋棒（７）は、上記裏壁（22）の貫通穴（2a）以外に、高さ調節板（５）の貫通穴（5a）からも挿入させてもよく、鉄筋棒（７）の数は、横方向に一定間隔で複数本設けるとよい。
【符号の説明】
【００２６】
１  基礎コンクリート
2a  貫通穴
21  表壁
22  裏壁
３  支持板
3a, 3b  両側端面
32a  ネジ穴
４  ネジ部材
５  高さ調節板
5a  貫通穴
６  中込め材
７  鉄筋棒
Ａ  法面
【図１】
2011032804.tif 000003
【図２】
2011032804.tif 000004
【図３】
2011032804.tif 000005
【図４】
2011032804.tif 000006
【図５】
2011032804.tif 000007
【図６】
2011032804.tif 000008
【図７】
2011032804.tif 000009
【図８】
2011032804.tif 000010